(57)【要約】【課題】  デジタル遺影表示システムおよびデジタル遺影を利用した葬祭演出方法を提供する。【解決手段】  第１端末（１１１）は、ネットワーク（１５）を介して被処理データ（遺影とスナップ写真および／または動画とのデジタルデータ、文字情報など）をサーバ（１２１）にアップロードする。第２端末（１３１）はサーバ（１２１）から被処理データをダウンロードし処理した後サーバ（１２１）にアップロードする。第１端末（１１１）は、処理済データを葬儀会場で表示するとともに、処理済データをもとに遺影や会葬礼状等を印刷する。さらに、ＤＶＤやアルバム等を作成して参列者に配布することにより、葬祭をより効果的に演出することができる。【選択図】  図１
2006288660.tif 000002
【特許請求の範囲】
【請求項１】
葬儀社の第１端末が管理センタのサーバにアップロードしたデータを処理センタの第２端末がダウンロードおよび処理し、処理済データを利用して葬祭を演出するデジタル遺影表示システムであって、
遺影のデジタルデータと、スナップ写真および／または動画のデジタルデータと、前記各デジタルデータについての文字情報とを入力し、アップロードするための第１端末と、
前記第１端末からアップロードされた前記各デジタルデータおよび前記文字情報をデータベースに保存するサーバと、
前記サーバから前記デジタルデータと前記文字情報とをダウンロードし処理して、処理済データを前記サーバへアップロードする第２端末と、
前記処理済データを表示する表示装置とを備え、
前記第１端末と、前記サーバと、前記第２端末とはネットワークを介して接続することを特徴とするデジタル遺影表示システム。
【請求項２】
請求項１に記載のデジタル遺影表示システムにおいて、
前記処理済データは、遺影のデジタルデータと、スナップ写真および／または動画のデジタルデータとが、前記表示装置のディスプレイ上に分割して配置され表示されることを特徴とするデジタル遺影表示システム。
【請求項３】
請求項２に記載のデジタル遺影表示システムにおいて、
前記遺影のデジタルデータと、前記スナップ写真および／または動画のデジタルデータとは、それぞれ所定の時間毎または任意に表示切替可能であることを特徴とするデジタル遺影表示システム。
【請求項４】
請求項１に記載のデジタル遺影表示システムにおいて、
前記文字情報は、前記各スナップ写真および／または動画に対応するコメントと、喪主の挨拶文と、以後の法要日程とを含むことを特徴とするデジタル遺影表示システム。
【請求項５】
請求項４に記載のデジタル遺影表示システムにおいて、
前記処理済データは、遺影のデジタルデータと、スナップ写真および／または動画のデジタルデータと、前記文字情報とが、前記表示装置のディスプレイ上に分割して配置され表示されることを特徴とするデジタル遺影表示システム。
【請求項６】
請求項５に記載のデジタル遺影表示システムにおいて、
前記遺影のデジタルデータと、前記スナップ写真および／または動画のデジタルデータと、前記文字情報とは、それぞれ所定の時間毎または任意に表示切替可能であることを特徴とするデジタル遺影表示システム。
【請求項７】
請求項３または６に記載のデジタル遺影表示システムにおいて、
前記遺影のデジタルデータは、所定の時間毎または任意に背景を表示切替可能であることを特徴とするデジタル遺影表示システム。
【請求項８】
請求項１に記載のデジタル遺影表示システムにおいて、
前記表示装置はディスプレイ部が回動可能であることを特徴とするデジタル遺影表示システム。
【請求項９】
葬儀社の第１端末が管理センタのサーバにアップロードしたデータを処理センタの第２端末がダウンロードおよび処理し、処理済データを利用して葬祭を演出する葬祭演出方法であって、
第１端末が、遺影のデジタルデータと、スナップ写真および／または動画のデジタルデータと、前記各デジタルデータについての文字情報とを入力し、アップロードする段階と、
サーバが、前記第１端末からアップロードされた前記各デジタルデータおよび前記文字情報をデータベースに保存する段階と、
第２端末が、前記サーバから前記各デジタルデータと前記文字情報とをダウンロードし処理して、処理済データを前記サーバへアップロードする段階と、
表示装置が、前記処理済データを表示する段階とからなることを特徴とする葬祭演出方法。
【請求項１０】
請求項９に記載の葬祭演出方法において、
前記処理済データは、遺影のデジタルデータと、スナップ写真および／または動画のデジタルデータとが、前記表示装置のディスプレイ上に分割して配置され表示されることを特徴とする葬祭演出方法。
【請求項１１】
請求項１０に記載の葬祭演出方法において、
前記遺影のデジタルデータと、前記スナップ写真および／または動画のデジタルデータとは、それぞれ所定の時間毎または任意に表示切替可能であることを特徴とする葬祭演出方法。
【請求項１２】
請求項９に記載の葬祭演出方法において、
前記文字情報は、前記各スナップ写真および／または動画に対応するコメントと、喪主の挨拶文と、以後の法要日程とを含むことを特徴とする葬祭演出方法。
【請求項１３】
請求項１２に記載の葬祭演出方法において、
前記処理済データは、遺影のデジタルデータと、スナップ写真および／または動画のデジタルデータと、前記文字情報とが、前記表示装置のディスプレイ上に分割して配置され表示されることを特徴とする葬祭演出方法。
【請求項１４】
請求項１３に記載の葬祭演出方法において、
前記遺影のデジタルデータと、前記スナップ写真および／または動画のデジタルデータと、前記文字情報とは、それぞれ所定の時間毎または任意に表示切替可能であることを特徴とする葬祭演出方法。
【請求項１５】
請求項１１または１４に記載の葬祭演出方法において、
前記遺影のデジタルデータは、所定の時間毎または任意に背景を表示切替可能であることを特徴とする葬祭演出方法。
【請求項１６】
請求項９乃至１５のいずれかに記載の葬祭演出方法において、
前記処理済データを印刷して印刷媒体を作成する段階と、
前記処理済データを記録媒体に記録する段階と、
前記印刷媒体と前記記録媒体とを葬儀の参列者に配布する段階とを備えることを特徴とする葬祭演出方法。
【請求項１７】
請求項９乃至１６のいずれかに記載の葬祭演出方法において、
前記サーバは、前記第２端末における処理の内容に応じて料金を算出することを特徴とする葬祭演出方法。
【発明の詳細な説明】
【技術分野】
【０００１】
本発明はデジタル遺影表示システムおよびデジタル遺影を利用した葬祭演出方法に係り、より詳細には、デジタル処理を施した遺影や、故人のスナップ写真および／または動画などを斎場で上映して葬祭を演出するとともに、上映内容を記録した記録媒体と、遺影やスナップ写真および法要日程等を編集・印刷した会葬礼状等の印刷媒体とによって葬祭を演出する方法に関する。
【背景技術】
【０００２】
近年、身内や近親者が亡くなったときには、斎場で葬儀を行うのが最も一般的となっている。葬儀は元来故人の自宅で行われるものであったが、準備・後片付けに手間がかかること、都市部においては自宅では葬儀に十分なスペースを確保できないこと、葬儀の手順やしきたりなどの知識を持つ人が少なくなっていることなどを背景として、いわゆる自宅葬は減少しつつある。
【０００３】
斎場での葬儀の場合、故人の遺志や宗派などにより形式は異なるものの、多くは会場の正面に祭壇を設け、中央に遺影を掲げて参列者を迎える。この祭壇の前で読経や焼香が行われ、個人の冥福を祈るのが一般的である。
【０００４】
ところで、葬儀は本来厳粛な雰囲気のもとで行われるべきものであるが、生活様式や価値観の多様化に伴い、故人や遺族が希望する葬儀の形式は宗派を問わず多様化の傾向にある。また、最近では、そもそも葬儀は故人を偲ぶ場であるという観点に立ち、参列者に故人との思い出を回想し冥福を祈ってもらおうと、様々な演出が行われるようになってきている。
【０００５】
例えば、特許文献１に記載の葬祭方法および葬祭装置は、会場前方および両側壁にスクリーンを設け、前方には祭壇と遺影とを、両側壁には献花・献花者氏名や風景などを映写して、葬儀会場全体の雰囲気を演出しようというものである。この方法および装置によれば、宗派に関係なく葬儀を簡便に準備することができるほか、葬儀にかかる多額の費用を最小限にとどめ、遺族の経済的負担を軽くすることができる。
【０００６】
また、例えば特許文献２にみられるように、葬儀会場に実物の祭壇とスクリーンとを設置し、スクリーンに遺影や故人の生前のビデオ画像を映写するという方法も採られている。この場合、式次第に応じてその場に相応しい写真や画像を選択して表示することができる。
【特許文献１】特開２００２−１７７１３１号公報
【特許文献２】特許第２９１２５９７号公報
【発明の開示】
【発明が解決しようとする課題】
【０００７】
特許文献１に記載の方法および装置の場合、葬儀の費用についてのみ考えれば、確かに遺族の負担は少なく、好ましい方法であるといえる。しかし、祭壇や献花など、会場の設備のほぼ全てを映写式にするので、参列者の中には厳粛さが感じられないという印象を受ける人がいるかもしれない。また、故人を弔うためには費用に関係なく実際に祭壇を設けて葬祭を行いたいと考える遺族もある。
また、特許文献２に記載の方法のように、写真や映像を使用して従来の遺影とは趣を変えた葬儀を演出するものもあるが、葬儀の個性化および技術の進歩の両面から、さらに効果的な演出が求められている。
【課題を解決するための手段】
【０００８】
これらの課題に鑑み、本発明が提供するのは、葬儀社の第１端末が管理センタのサーバにアップロードしたデータを処理センタの第２端末がダウンロードおよび処理し、処理済データを利用して葬祭を演出するデジタル遺影表示システムである。このデジタル遺影表示システムは、遺影のデジタルデータと、スナップ写真および／または動画のデジタルデータと、各デジタルデータについての文字情報とを入力し、アップロードするための第１端末と、第１端末からアップロードされた各デジタルデータおよび文字情報をデータベースに保存するサーバと、サーバからデジタルデータと文字情報とをダウンロードし処理して、処理済データをサーバへアップロードする第２端末と、処理済データを表示する表示装置とを備え、第１端末と、サーバと、第２端末とはネットワークを介して接続する。
【０００９】
このデジタル遺影表示システムにおいて、処理済データは、遺影のデジタルデータと、スナップ写真および／または動画のデジタルデータとが、表示装置のディスプレイ上に分割して配置され表示される。
【００１０】
また、遺影のデジタルデータと、スナップ写真および／または動画のデジタルデータとは、それぞれ所定の時間毎または任意に表示切替可能である。
本発明のデジタル遺影表示システムにおいて、文字情報は、各スナップ写真および／または動画に対応するコメントと、喪主の挨拶文と、以後の法要日程とを含む。
また、遺影のデジタルデータと、スナップ写真および／または動画のデジタルデータと、文字情報とは、表示装置のディスプレイ上に分割して配置され表示される。
【００１１】
このデジタル遺影表示システムにおいて、遺影のデジタルデータと、スナップ写真および／または動画のデジタルデータと、文字情報とは、それぞれ所定の時間毎または任意に表示切替可能である。
また、遺影のデジタルデータは、所定の時間毎または任意に背景を表示切替可能である。
さらに、本発明のデジタル遺影表示システムにおいて、表示装置はディスプレイ部が回動可能である。
【００１２】
本発明がさらに提供するのは、葬儀社の第１端末が管理センタのサーバにアップロードしたデータを処理センタの第２端末がダウンロードおよび処理し、処理済データを利用して葬祭を演出する葬祭演出方法である。この葬祭演出方法は、第１端末が、遺影のデジタルデータと、スナップ写真および／または動画のデジタルデータと、各デジタルデータについての文字情報とを入力し、アップロードする段階と、サーバが、第１端末からアップロードされた各デジタルデータおよび文字情報をデータベースに保存する段階と、第２端末が、サーバから各デジタルデータと文字情報とをダウンロードし処理して、処理済データをサーバへアップロードする段階と、表示装置が、処理済データを表示する段階とからなる。
【００１３】
この葬祭演出方法において、処理済データは、遺影のデジタルデータと、スナップ写真および／または動画のデジタルデータとが、表示装置のディスプレイ上に分割して配置され表示される。
また、遺影のデジタルデータと、スナップ写真および／または動画のデジタルデータとは、それぞれ所定の時間毎または任意に表示切替可能である。
【００１４】
文字情報は、各スナップ写真および／または動画に対応するコメントと、喪主の挨拶文と、以後の法要日程とを含む。
この葬祭演出方法において、処理済データは、遺影のデジタルデータと、スナップ写真および／または動画のデジタルデータと、文字情報とが、表示装置のディスプレイ上に分割して配置され表示される。
【００１５】
また、遺影のデジタルデータと、スナップ写真および／または動画のデジタルデータと、文字情報とは、それぞれ所定の時間毎または任意に表示切替可能である。
また、遺影のデジタルデータは、所定の時間毎または任意に背景を表示切替可能である。
【００１６】
本発明が提供する葬祭演出方法は、処理済データを印刷して印刷媒体を作成する段階と、処理済データを記録媒体に記録する段階と、印刷媒体と記録媒体とを葬儀の参列者に配布する段階とを備えてもよい。
また、本発明の葬祭演出方法において、サーバは、第２端末における処理の内容に応じて料金を算出する。
【発明の効果】
【００１７】
本発明のデジタル遺影表示システムおよびデジタル遺影を利用した葬祭演出方法によれば、写真をデジタル処理するので、背景や服装の変更が容易であり、故人・遺族の希望に幅広く対応できるばかりでなく、処理を施した複数の遺影を一定時間毎または任意に切替えて表示することにより、効果的に葬祭を演出できる。どのような処理を施すかに応じて料金が変動するので、遺族の予算に応じて葬祭を演出することも可能である。
【００１８】
また、故人のスナップ写真および／または動画や、各スナップ写真および／または動画に対応したコメントのテロップ、挨拶文や以後の法要日程を同一画面上に適宜表示することができるので、故人をよく知らない参列者にも情報を提供することが可能である。スナップ写真および／または動画やコメントを所定の時間毎または任意に切替えることにより、参列者が退屈しがちな読経や焼香の最中にも斎場の雰囲気に変化をもたせることができる。
【００１９】
さらに処理済データを記録したＤＶＤなどの記録媒体と、処理済データを編集・印刷したアルバムや会葬礼状等の印刷媒体とにより、印象深く、記念となる葬儀を演出することが可能である。参列者は葬儀後も故人との思い出を回想し、生前の姿を偲ぶことができる。
【発明を実施するための最良の形態】
【００２０】
以下、本発明の好適な実施例を図面を参照して説明する。
図１は本発明のデジタル遺影表示システム（１）の構成を説明する概略ブロック図である。
葬儀社（１１）は、第１端末（１１１）、スキャナ（１１２）、およびプリンタ（１１３）を備える。斎場（１４）には再生装置（１４１）と表示装置（１４２）とが備えられ、第１端末（１１１）と再生装置（１４１）とはメモリカード（１６）などの記録媒体またはＬＡＮなどのネットワーク（図示しない）を介して接続する。
【００２１】
第１端末（１１１）はさらに、インターネットなどのネットワーク（１５）を介して管理センタ（１２）のサーバ（１２１）と接続する。管理センタ（１２）はサーバ（１２１）とデータベース（１２２）とを備え、葬儀社（１１）の第１端末（１１１）からの注文の受付窓口として機能する。
【００２２】
サーバ（１２１）は処理センタ（１３）の第２端末（１３１）と接続する。第２端末（１３１）では、画像や情報等のデータ（被処理データ）をサーバ（１２１）からダウンロードし、用途に合わせて処理を行う。管理センタ（１２）と処理センタ（１３）とは、同一の場所に設けてもよいし、互いに遠隔した場所にあってもよい。
第１端末（１１１）および第２端末（１３１）は、ともにブラウザを備えるものとする。
【００２３】
図２（ａ）および（ｂ）は本発明のデジタル遺影表示システムを利用した葬祭演出方法を説明するフロー図である。同図を参照して、本発明による葬祭演出方法を説明する。
葬儀社（１１）は、第１端末（１１１）から管理センタ（１２）のサーバ（１２１）にアクセスするため、ログインを行う（Ｓ００１）。第１端末（１１１）のブラウザには図３のような「顧客ログイン」画面が表示されるので、葬儀社（１１）はＩＤ（顧客コード）およびパスワードの入力を行う。これにより認証が行われ（Ｓ００２）、入力したＩＤおよびパスワードが正しいものであれば次の段階（Ｓ００３）に進む。正しくない場合には段階Ｓ００１に戻り、ＩＤおよび／またはパスワードの再入力が要求される。
【００２４】
段階Ｓ００３に進むと、第１端末（１１１）のブラウザには図４のような「遺影処理予実績表」画面が表示される。ここで、新規処理を入力する場合には、予実績表の新規処理ボタンをクリックして入力手続を行う。入力にあたって写真や動画のデジタル形式への変換が必要な場合には、まずスキャナ（１１２）を用いて読み込みを行う（Ｓ００４）。また、予めデジタル形式の写真や動画を用意してある場合には、段階Ｓ００４を行わずに段階Ｓ００５に進む。
【００２５】
新規処理ボタンをクリックすると、第１端末（１１１）のブラウザには図５に示す「遺影入力処理」画面が表示される。第１端末（１１１）では、故人の名前や命日、告別式の日程、遺影の背景や衣装などの各項目について文字情報を入力し、管理センタ（１２）のサーバ（１２１）へのアップロードを行う（Ｓ００５）。
【００２６】
また、遺影以外の写真については、図６に示す「偲写真・テロップ入力処理」画面で入力を行い、同様にサーバ（１２１）にアップロードする（Ｓ００６）。この画面上では、例えば故人のスナップ写真や動画を、対応するコメントとともに入力することができる。コメントは、文字数に制限を設けるなどして一定以上の長さにならないようにするのが好ましい。
サーバ（１２１）では、第１端末（１１１）から遺影やスナップ写真等のアップロードがあると、データベース（１２２）に保存するとともに（Ｓ００７）、前述の予実績表を更新する（Ｓ００８）。
【００２７】
図４に示すように、予実績表は故人名や注文内容が一見してわかるように構成されている。本実施例においては、各注文がその処理の進捗状況に合わせて色分けして表示される。例えば、アップロードは完了したが処理は開始されていない注文については、「処理待」の文字表示とあわせて該当する欄が赤色に変色する。同様に、処理が進行中の注文の欄は黄色に、処理が完了し処理済のデータを受信した注文の欄は緑色に変色する。したがって、第１端末（１１１）や処理センタ（１３）の第２端末（１３１）がサーバ（１２１）にアクセスした時には、予実績表を見ることで注文内容や処理進行状況を容易に把握することができる。
【００２８】
一方、処理センタ（１３）の第２端末（１３１）は、サーバ（１２１）にアクセスするためログインを行う（Ｓ００９）。第２端末（１３１）のブラウザには、図７のような「処理担当者ログイン」画面が表示され、処理センタ（１３）では第２端末（１３１）からＩＤ（処理センタコードおよび担当者コード）とパスワードとを入力する。これにより認証が行われ（Ｓ０１０）、入力したＩＤおよびパスワードが正しいものであれば次の段階（Ｓ０１１）に進む。正しくない場合には段階Ｓ００９に戻り、各ＩＤおよび／またはパスワードの再入力が要求される。
【００２９】
段階Ｓ０１１に進むと、第２端末（１３１）のブラウザには図８に示す「偲映燈写真処理表」が表示されるので、処理センタ（１４）では新規に受信した注文を確認する。図示するように、写真処理表は、注文内容や納期等が一覧できるように構成されている。また、図４の予実績表と同様、注文毎に処理の進行状況が色分けして表示される。例えば、処理を開始していない注文については、該当する欄が赤色に変色して処理待ち状態であることを表す。処理が開始されると黄色に変化して、この注文が処理中であることがわかる。このとき、色の変化とあわせて、図示するように処理開始時刻を文字で表示してもよい。
【００３０】
第２端末（１３１）では、赤色の処理待ち状態の欄をクリックし、被処理データをダウンロードして、第１端末（１１１）が段階Ｓ００５およびＳ００６で入力した情報に基づき、背景や衣装の合成等の処理作業を行う（Ｓ０１２）。
【００３１】
図８の「写真処理表」において、「偲」の列の赤色（処理待ち）の欄をクリックすると、図９に示す「偲映燈送受信確認」画面が表示される。ここで、第２端末（１３１）では、段階Ｓ００６において指定された衣装や背景と遺影とを合成する処理を行い、デジタル表示用の遺影を作成する。背景は無地や風景など複数用意し、適宜選択することができる。また、衣装も和装や洋装など複数用意し、選択可能である。
【００３２】
したがって、例えば図１９に示すように、人物（５０１ａ〜５０１ｃ）と背景（５０２ａ〜５０２ｈ）とを組み合わせて多様なデジタル遺影（５０）を作成することができる。さらに、段階Ｓ００６において入力されたスナップ写真および／または動画、コメント、挨拶文、法要日程についても、必要があれば色合いを調整するなど適切な処理を行う（画面は図示しない）。処理を施したデジタル表示用の遺影と、スナップ写真および／または動画、コメント、挨拶文、法要日程（総合して「偲映燈」と称する）は、葬儀当日に斎場で上映するためのものである。
【００３３】
図８の「写真処理表」において、「印」の列の赤色（処理待ち）の欄をクリックすると、図１０に示す「遺影印刷送受信確認」画面が表示される。この画面では、デジタル表示用の遺影と同様に、指定された衣装や背景と遺影とを合成する処理を行い、印刷用の遺影を作成する。
【００３４】
図８の「写真処理表」において、「思」の列の赤色（処理待ち）の欄をクリックすると、図１１に示す「思いで分け送受信確認」画面が表示される。この画面では、遺影と今後の法要日程および葬儀当日に撮影した集合写真を合成した小型アルバム（以下、思いで分けという）用のデータを作成する。但し、この処理作業を行うのは葬儀前日以前であるため、集合写真の合成を残した状態までのデータを作成するものとする。
【００３５】
図８の「写真処理表」において、「会」の列の赤色（処理待ち）の欄をクリックすると、図１２に示す「会葬礼状送受信確認」画面が表示される。この画面では、従来の会葬礼状と同様、喪主の挨拶文等が記載された会葬礼状に故人の写真を合成する処理を行う。
さらに、図８の「写真処理表」において、「Ｄ」の列の赤色（処理待ち）の欄をクリックすると、図１３の「ＤＶＤ送受信確認」が表示される。この画面においては、一連の写真や動画を自動的に順次表示するようデータの処理を行う。
【００３６】
処理が完了したデータ（処理済データ）は、第２端末（１３１）から管理センタ（１２）のサーバ（１２１）にアップロードされる（Ｓ０１３）。アップロードされた処理済データは、データベース（１２２）に保存される（Ｓ０１４）。サーバ（１２１）は、前述した写真処理表を更新するとともに（Ｓ０１５）、予実績表も更新する（Ｓ０１６）。これにより、予実績表の該当する欄は緑色（受信済）に変色する。
【００３７】
このとき、サーバ（１２１）では、第２端末（１３１）が行った処理内容に基づいて、葬儀社（１１）に請求する料金を算出してもよい。例えば、葬儀社（１１）と管理センタ（１２）との間で共通の料金メニューを設定しておき、注文内容（背景や衣装の数、写真の枚数など）に応じて異なる請求額を設けることができる。
【００３８】
第１端末（１１１）は、図４の予実績表で処理済データがサーバ（１２１）にアップロードされていることを確認すると、最終編集を開始する（Ｓ０１７）。すなわち、第１端末（１１１）は、表示用メモリカードの作成（Ｓ０２４）、遺影写真の印刷（Ｓ０２５）、会葬礼状の印刷（Ｓ０２６）およびＤＶＤの作成（Ｓ０２７）を行う。段階Ｓ０２４〜段階Ｓ０２７の各段階は、必ずしもこの順序で行う必要はなく、適宜変更してよい。
【００３９】
図４の遺影処理予実績表において「偲映燈」の列の緑色（受信済）の欄をクリックすると、第１端末（１１１）のブラウザには図１４に示すような「偲映燈カード作成」画面が表示される。第１端末（１１１）では、段階Ｓ０１２において作成されたデジタル遺影データを確認し、画面の表示切替時間を指定して、メモリカード（１６）等の小型記録媒体に保存する。また、同じく段階Ｓ０１２において作成されたコメントとスナップ写真および／または動画とを含む表示用データと、挨拶文や今後の法要日程もあわせて保存する（Ｓ０１８）。
【００４０】
図４の「遺影処理予実績表」において、「遺影印刷」の列の緑色（受信済）の欄をクリックすると、第１端末（１１１）のブラウザには図１５に示すような「遺影写真印刷」画面が表示される。第１端末（１１１）では、印刷色や大きさを指定して、プリンタ（１１３）により印刷する。印刷した遺影は、従来の一般的な遺影と同様に額に入れるなどして用いることができるほか、大きさにより様々に利用することができる（Ｓ０１９）。
【００４１】
図４の「遺影処理予実績表」において、「会葬礼状」の列の緑色（受信済）の欄をクリックすると、第１端末（１１１）のブラウザには図１７に示すような「会葬礼状印刷」画面が表示される。第１端末（１１１）では文面や写真を確認の上、印刷枚数を指定してプリンタ（１１３）により印刷する。印刷した会葬礼状は、葬儀の当日に参列者に配布する（Ｓ０２０）。
【００４２】
また、図４の「遺影処理予実績表」において、「ＤＶＤ」の列の緑色（受信済）の欄をクリックすると、第１端末（１１１）のブラウザには図１８に示すような「ＤＶＤ作成」画面が表示される。第１端末（１１１）では表示内容を確認の上、ＤＶＤへの書き込みを行う。出来上がったＤＶＤは、遺族や参列者に故人の記念として配布する（Ｓ０２１）。ＤＶＤへの書き込みは、第１端末に接続したＤＶＤドライブ（図示しない）で行うこともできる。また、ここでは記録媒体としてＤＶＤを使用するが、コンピュータ書き込みの可能な別の記録媒体を使用することも可能である。
【００４３】
以上の作業は葬儀執行前に行われる。葬儀当日には、メモリカード（１６）が斎場（１４）の再生装置（１４１）に挿入して再生され、表示装置（１４２）に表示される。このとき、メモリカード（１６）を使用せずに、第１端末（１１１）と再生装置（１４１）とをＬＡＮなどのネットワークを介して接続し、データの伝送を行ってもよい。
【００４４】
既に図１９について説明したように、遺影（５０）は背景や服装を様々に組み合わせて複数用意しておき、段階Ｓ０１８で指定した切替時間に従って自動的に切替表示する。切替時間を指定しなかった場合には、再生装置（１４１）を操作して任意に切替えることも可能である。このとき、例えば図１９に示すように、和装の人物（５０１ａ）の遺影（５０）を３種類の背景（５０２ａ〜ｃ）を順次切替えると、背景のみを切替え表示することができる。また、例えば和装の遺影（５０）と洋装の遺影（５０）とを交互に表示することも可能である。
【００４５】
本実施例においては、図２０に示すように、表示装置（１４２）のディスプレイ（８０１）を分割し、左側には遺影（５０）を、右側にはスナップ写真および／または動画（８０２）と、各スナップ写真および／または動画に対応するコメントと（８０３）を分割して表示することができる。同様に、ディスプレイ（８０１）の左側には遺影（５０）を、右側には喪主の挨拶文や今後の法要日程を表示することも可能である。スナップ写真および／または動画（８０２）およびコメント（８０３）と、挨拶文および法要日程とは、一定時間ごとに切替えて表示してもよい。また、遺影（５０）とスナップ写真および／または動画（８０２）のみを表示することも可能である。
【００４６】
本発明の別の実施例においては、回動可能なディスプレイ部を備えた表示装置（１４２）を用いることにより、縦型のディスプレイ（８０１）とすることができる。その場合には、遺影（５０）のみを切替表示してもよい。
【００４７】
さらに、葬儀当日には参列者の集合写真を撮影する（Ｓ０２２）。この集合写真は、段階Ｓ００６〜Ｓ０１７と同様に処理を行う。すなわち、集合写真のデジタルデータは、第１端末（１１１）からサーバ（１２１）にアップロードされ（Ｓ０２３）、サーバ（１２１）がこれをデータベース（１２２）に保存（Ｓ０２４）の上、予実績表を更新し（Ｓ０２５）、第２端末（１３１）がダウンロードして（Ｓ０２６）処理を行う（Ｓ０２７）。段階Ｓ０１２において、思いで分けデータは途中まで作成してあるので、第２端末（１３１）では主に写真の合成処理を行う。処理済の集合写真のデータが第２端末（１３１）からサーバ（１２１）にアップロードされ（Ｓ０２９）、サーバ（１２１）がこれをデータベース（１２２）に保存（Ｓ０２９）の上、写真処理表および予実績表を更新する（Ｓ０３０、Ｓ０３１）と、第１端末（１１１）ではこのデータの印刷処理を行う（Ｓ０３２）。
【００４８】
図４の予実績表において、「思いで分け」の列の緑色（受信済）の欄をクリックすると、第１端末（１１１）のブラウザには図１６に示すような「思いで分け印刷」画面が表示される。葬儀社（１１）では、遺影や法要日程を確認の上、印刷枚数を指定してプリンタ（１１３）により印刷する。
【００４９】
遺影と集合写真と法要日程とを記載した思いで分け（９）は、図２１に示すように製本し、葬儀の参列者に配布する。集合写真の合成処理は短時間で行うことができるので、当日中に配布することが可能である。滅多に顔を合わせない親戚などの集合写真であるため、参列者にとって記念になると同時に、遺影と今後の法要日程の記載により葬儀の後にも故人を偲ぶことができる。
【００５０】
集合写真はデジタルカメラで撮影することにより、写真をデジタル化する手間を省き直ちに処理することができる。なお、集合写真のデジタルデータは、サーバ（１２１）および第２端末（１３１）を介さずに第１端末（１１１）において思いで分けデータとの合成を行うことも可能である。
【００５１】
また、葬儀の様子を撮影し、第１端末（１１１）からサーバ（１２１）を経由して第２端末（１３１）で処理を行って、アルバムを作成することも可能である。アルバムは、処理センタ（１３）で製本し、遺族や参列者に後日配送してもよい。
本発明のデジタル遺影表示システム、デジタル遺影表示方法およびデジタル遺影を利用した葬祭演出方法は、葬儀のみにとどまらず、年忌など法要の際に用いることも可能である。
【図面の簡単な説明】
【００５２】
【図１】本発明のデジタル遺影表示システムの一実施例を示す概略ブロック図。
【図２（ａ）】本発明のデジタル遺影を利用した葬祭演出方法を説明するフロー図。
【図２（ｂ）】本発明のデジタル遺影を利用した葬祭演出方法を説明するフロー図。
【図３】葬儀社のログイン画面の一例を示す図。
【図４】遺影処理予実績表画面の一例を示す図。
【図５】遺影入力処理画面の一例を示す図。
【図６】写真入力処理画面の一例を示す図。
【図７】処理センタの処理担当者のログイン画面の一例を示す図。
【図８】写真処理表画面の一例を示す図。
【図９】デジタル表示用遺影の処理画面の一例を示す図。
【図１０】印刷用遺影の処理画面の一例を示す図。
【図１１】写真処理画面の一例を示す図。
【図１２】会葬礼状処理画面の一例を示す図。
【図１３】ＤＶＤ編集画面の一例を示す図。
【図１４】表示用のデータの作成画面の一例を示す図。
【図１５】遺影の印刷処理画面の一例を示す図。
【図１６】写真の印刷処理画面の一例を示す図。
【図１７】会葬礼状印刷処理画面の一例を示す図。
【図１８】ＤＶＤ作成処理画面の一例を示す図。
【図１９】処理済の遺影の例を示す図。
【図２０】本発明による葬祭演出方法の一例を示す図。
【図２１】本発明による葬祭演出方法の一例を示す図。
【符号の説明】
【００５３】
１  デジタル遺影表示システム
１１  葬儀社
１１１  第１端末
１１２  スキャナ
１１３  プリンタ
１２  管理センタ
１２１  サーバ
１３  処理センタ
１３１  第２端末
１４  斎場
１４１  再生装置
１４２  表示装置
１５  ネットワーク
１６  メモリカード
【図１】
2006288660.tif 000003
【図２（ａ）】
2006288660.tif 000004
【図２（ｂ）】
2006288660.tif 000005
【図３】
2006288660.tif 000006
【図４】
2006288660.tif 000007
【図５】
2006288660.tif 000008
【図６】
2006288660.tif 000009
【図７】
2006288660.tif 000010
【図８】
2006288660.tif 000011
【図９】
2006288660.tif 000012
【図１０】
2006288660.tif 000013
【図１１】
2006288660.tif 000014
【図１２】
2006288660.tif 000015
【図１３】
2006288660.tif 000016
【図１４】
2006288660.tif 000017
【図１５】
2006288660.tif 000018
【図１６】
2006288660.tif 000019
【図１７】
2006288660.tif 000020
【図１８】
2006288660.tif 000021
【図１９】
2006288660.tif 000022
【図２０】
2006288660.tif 000023
【図２１】
2006288660.tif 000024
【手続補正書】
【提出日】平成17年9月26日(2005.9.26)
【手続補正１】
【補正対象書類名】特許請求の範囲
【補正対象項目名】全文
【補正方法】変更
【補正の内容】
【特許請求の範囲】
【請求項１】
葬儀社の第１端末が管理センタのサーバにアップロードしたデータを処理センタの第２端末がダウンロードおよび処理し、前記第２端末が前記サーバにアップロードした処理済データを前記第１端末がダウンロードし、前記処理済データを利用して葬祭を演出するデジタル遺影表示システムであって、
遺影のデジタルデータと、スナップ写真および／または動画のデジタルデータと、前記各デジタルデータについての文字情報ならびに処理注文の詳細とを入力し、アップロードするための第１端末と、
前記第１端末からアップロードされた前記各デジタルデータおよび前記文字情報ならびに前記処理注文の詳細をデータベースに保存するサーバと、
前記サーバから前記デジタルデータと前記文字情報ならびに前記処理注文の詳細とをダウンロードし、前記文字情報ならびに前記処理注文の詳細に基づき処理して、処理済データを前記サーバへアップロードする第２端末と、
前記第１端末がダウンロードした前記処理済データを表示する表示装置とを備え、
前記第１端末と、前記サーバと、前記第２端末とはネットワークを介して接続することを特徴とするデジタル遺影表示システム。
【請求項２】
請求項１に記載のデジタル遺影表示システムにおいて、
前記処理済データは、遺影のデジタルデータと、スナップ写真および／または動画のデジタルデータとが、前記表示装置のディスプレイ上に分割して配置され表示されることを特徴とするデジタル遺影表示システム。
【請求項３】
請求項２に記載のデジタル遺影表示システムにおいて、
前記遺影のデジタルデータと、前記スナップ写真および／または動画のデジタルデータとは、それぞれ所定の時間毎または任意に表示切替可能であることを特徴とするデジタル遺影表示システム。
【請求項４】
請求項１に記載のデジタル遺影表示システムにおいて、
前記文字情報は、前記各スナップ写真および／または動画に対応するコメントと、喪主の挨拶文と、以後の法要日程とを含むことを特徴とするデジタル遺影表示システム。
【請求項５】
請求項４に記載のデジタル遺影表示システムにおいて、
前記処理済データは、遺影のデジタルデータと、スナップ写真および／または動画のデジタルデータと、前記文字情報とが、前記表示装置のディスプレイ上に分割して配置され表示されることを特徴とするデジタル遺影表示システム。
【請求項６】
請求項５に記載のデジタル遺影表示システムにおいて、
前記遺影のデジタルデータと、前記スナップ写真および／または動画のデジタルデータと、前記文字情報とは、それぞれ所定の時間毎または任意に表示切替可能であることを特徴とするデジタル遺影表示システム。
【請求項７】
請求項３または６に記載のデジタル遺影表示システムにおいて、
前記遺影のデジタルデータは、所定の時間毎または任意に背景を表示切替可能であることを特徴とするデジタル遺影表示システム。
【請求項８】
請求項１に記載のデジタル遺影表示システムにおいて、
前記表示装置はディスプレイ部が回動可能であることを特徴とするデジタル遺影表示システム。
【請求項９】
葬儀社の第１端末が管理センタのサーバにアップロードしたデータを処理センタの第２端末がダウンロードおよび処理し、前記第２端末が前記サーバにアップロードした処理済データを前記第１端末がダウンロードし、前記処理済データを利用して葬祭を演出する葬祭演出方法であって、
第１端末が、遺影のデジタルデータと、スナップ写真および／または動画のデジタルデータと、前記各デジタルデータについての文字情報ならびに処理注文の詳細とを入力し、アップロードする段階と、
サーバが、前記第１端末からアップロードされた前記各デジタルデータおよび前記文字情報ならびに前記処理注文の詳細をデータベースに保存する段階と、
第２端末が、前記サーバから前記各デジタルデータと前記文字情報ならびに前記処理注文の詳細とをダウンロードし、前記文字情報ならびに前記処理注文の詳細に基づき処理して、処理済データを前記サーバへアップロードする段階と、
表示装置が、前記第１端末がダウンロードした前記処理済データを表示する段階とからなることを特徴とする葬祭演出方法。
【請求項１０】
請求項９に記載の葬祭演出方法において、
前記処理済データは、遺影のデジタルデータと、スナップ写真および／または動画のデジタルデータとが、前記表示装置のディスプレイ上に分割して配置され表示されることを特徴とする葬祭演出方法。
【請求項１１】
請求項１０に記載の葬祭演出方法において、
前記遺影のデジタルデータと、前記スナップ写真および／または動画のデジタルデータとは、それぞれ所定の時間毎または任意に表示切替可能であることを特徴とする葬祭演出方法。
【請求項１２】
請求項９に記載の葬祭演出方法において、
前記文字情報は、前記各スナップ写真および／または動画に対応するコメントと、喪主の挨拶文と、以後の法要日程とを含むことを特徴とする葬祭演出方法。
【請求項１３】
請求項１２に記載の葬祭演出方法において、
前記処理済データは、遺影のデジタルデータと、スナップ写真および／または動画のデジタルデータと、前記文字情報とが、前記表示装置のディスプレイ上に分割して配置され表示されることを特徴とする葬祭演出方法。
【請求項１４】
請求項１３に記載の葬祭演出方法において、
前記遺影のデジタルデータと、前記スナップ写真および／または動画のデジタルデータと、前記文字情報とは、それぞれ所定の時間毎または任意に表示切替可能であることを特徴とする葬祭演出方法。
【請求項１５】
請求項１１または１４に記載の葬祭演出方法において、
前記遺影のデジタルデータは、所定の時間毎または任意に背景を表示切替可能であることを特徴とする葬祭演出方法。
【請求項１６】
請求項９乃至１５のいずれかに記載の葬祭演出方法において、
前記処理済データを印刷して印刷媒体を作成する段階と、
前記処理済データを記録媒体に記録する段階と、
前記印刷媒体と前記記録媒体とを葬儀の参列者に配布する段階とを備えることを特徴とする葬祭演出方法。
【請求項１７】
請求項９乃至１６のいずれかに記載の葬祭演出方法において、
前記サーバは、前記第２端末における処理の内容に応じて料金を算出することを特徴とする葬祭演出方法。
【手続補正２】
【補正対象書類名】明細書
【補正対象項目名】０００８
【補正方法】変更
【補正の内容】
【０００８】
これらの課題に鑑み、本発明が提供するのは、葬儀社の第１端末が管理センタのサーバにアップロードしたデータを処理センタの第２端末がダウンロードおよび処理し、第２端末がサーバにアップロードした処理済データを第１端末がダウンロードし、この処理済データを利用して葬祭を演出するデジタル遺影表示システムである。このデジタル遺影表示システムは、遺影のデジタルデータと、スナップ写真および／または動画のデジタルデータと、各デジタルデータについての文字情報ならびに処理注文の詳細とを入力し、アップロードするための第１端末と、第１端末からアップロードされた各デジタルデータおよび文字情報ならびに処理注文の詳細をデータベースに保存するサーバと、サーバからデジタルデータと文字情報ならびに処理注文の詳細とをダウンロードし、この文字情報ならびに処理注文の詳細に基づき処理して、処理済データをサーバへアップロードする第２端末と、第１端末がダウンロードした処理済データを表示する表示装置とを備え、第１端末と、サーバと、第２端末とはネットワークを介して接続する。
【手続補正３】
【補正対象書類名】明細書
【補正対象項目名】００１２
【補正方法】変更
【補正の内容】
【００１２】
本発明がさらに提供するのは、葬儀社の第１端末が管理センタのサーバにアップロードしたデータを処理センタの第２端末がダウンロードおよび処理し、第２端末がサーバにアップロードした処理済データを第１端末がダウンロードし、この処理済データを利用して葬祭を演出する葬祭演出方法である。この葬祭演出方法は、第１端末が、遺影のデジタルデータと、スナップ写真および／または動画のデジタルデータと、各デジタルデータについての文字情報ならびに処理注文の詳細とを入力し、アップロードする段階と、サーバが、第１端末からアップロードされた各デジタルデータおよび文字情報ならびに処理注文の詳細をデータベースに保存する段階と、第２端末が、サーバから各デジタルデータと文字情報ならびに処理注文の詳細とをダウンロードし、この文字情報ならびに処理注文の詳細に基づき処理して、処理済データをサーバへアップロードする段階と、表示装置が、第１端末がダウンロードした処理済データを表示する段階とからなる。
【手続補正書】
【提出日】平成17年12月9日(2005.12.9)
【手続補正１】
【補正対象書類名】特許請求の範囲
【補正対象項目名】全文
【補正方法】変更
【補正の内容】
【特許請求の範囲】
【請求項１】
葬儀社の第１端末と、管理センタのサーバと、処理センタの第２端末とがネットワークを介して接続し、前記第１端末が前記サーバにアップロードしたデータを前記第２端末がダウンロードおよび処理し、前記第２端末が前記サーバにアップロードした処理済データを前記第１端末がダウンロードし、前記処理済データを表示装置のディスプレイ上に表示して葬祭を演出するデジタル遺影表示システムであって、
前記処理済データは、それぞれ所定の時間毎または任意に表示切替可能な遺影のデジタルデータと、スナップ写真および／または動画のデジタルデータとを含み、
前記遺影のデジタルデータはさらに、所定の時間毎または任意に背景を表示切替可能であることを特徴とするデジタル遺影表示システム。
【請求項２】
請求項１に記載のデジタル遺影表示システムにおいて、
前記処理済データは、前記遺影のデジタルデータと、前記スナップ写真および／または動画のデジタルデータとが、前記表示装置のディスプレイ上に分割して配置され表示されることを特徴とするデジタル遺影表示システム。
【請求項３】
請求項１に記載のデジタル遺影表示システムにおいて、
前記処理済データはさらに文字情報を含み、
前記文字情報は、前記各スナップ写真および／または動画に対応するコメントと、喪主の挨拶文と、以後の法要日程とを含むことを特徴とするデジタル遺影表示システム。
【請求項４】
請求項３に記載のデジタル遺影表示システムにおいて、
前記処理済データは、前記遺影のデジタルデータと、前記スナップ写真および／または動画のデジタルデータと、前記文字情報とが、前記表示装置のディスプレイ上に分割して配置され表示されることを特徴とするデジタル遺影表示システム。
【請求項５】
請求項４に記載のデジタル遺影表示システムにおいて、
前記文字情報は所定の時間毎または任意に表示切替可能であることを特徴とするデジタル遺影表示システム。
【請求項６】
葬儀社の第１端末と、管理センタのサーバと、処理センタの第２端末とがネットワークを介して接続し、前記第１端末が前記サーバにアップロードしたデータを前記第２端末がダウンロードおよび処理し、前記第２端末が前記サーバにアップロードした処理済データを前記第１端末がダウンロードし、前記処理済データを表示装置のディスプレイ上に表示して葬祭を演出する葬祭演出方法において、
前記処理済データは、それぞれ所定の時間毎または任意に表示切替可能な遺影のデジタルデータと、スナップ写真および／または動画のデジタルデータとを含み、
前記遺影のデジタルデータはさらに、所定の時間毎または任意に背景を表示切替可能であることを特徴とする葬祭演出方法。
【請求項７】
請求項６に記載の葬祭演出方法において、
前記処理済データは、前記遺影のデジタルデータと、前記スナップ写真および／または動画のデジタルデータとが、前記表示装置のディスプレイ上に分割して配置され表示されることを特徴とする葬祭演出方法。
【請求項８】
請求項６に記載の葬祭演出方法において、
前記処理済データはさらに文字情報を含み、
前記文字情報は、前記各スナップ写真および／または動画に対応するコメントと、喪主の挨拶文と、以後の法要日程とを含むことを特徴とする葬祭演出方法。
【請求項９】
請求項８に記載の葬祭演出方法において、
前記処理済データは、前記遺影のデジタルデータと、前記スナップ写真および／または動画のデジタルデータと、前記文字情報とが、前記表示装置のディスプレイ上に分割して配置され表示されることを特徴とする葬祭演出方法。
【請求項１０】
請求項９に記載の葬祭演出方法において、
前記文字情報は所定の時間毎または任意に表示切替可能であることを特徴とする葬祭演出方法。
【請求項１１】
請求項６乃至１０のいずれかに記載の葬祭演出方法において、
前記処理済データを印刷して印刷媒体を作成する段階と、
前記処理済データを記録媒体に記録する段階と、
前記印刷媒体と前記記録媒体とを葬儀の参列者に配布する段階とを備えることを特徴とする葬祭演出方法。
【請求項１２】
請求項６乃至１１のいずれかに記載の葬祭演出方法において、
前記サーバは、前記第２端末における処理の内容に応じて料金を算出することを特徴とする葬祭演出方法。
【手続補正２】
【補正対象書類名】明細書
【補正対象項目名】０００８
【補正方法】変更
【補正の内容】
【０００８】
これらの課題に鑑み、本発明が提供するのは、葬儀社の第１端末と、管理センタのサーバと、処理センタの第２端末とがネットワークを介して接続し、第１端末がサーバにアップロードしたデータを第２端末がダウンロードおよび処理し、第２端末がサーバにアップロードした処理済データを第１端末がダウンロードし、この処理済データを表示装置のディスプレイ上に表示して葬祭を演出するデジタル遺影表示システムである。このデジタル遺影表示システムにおいて、処理済データは、それぞれ所定の時間毎または任意に表示切替可能な遺影のデジタルデータと、スナップ写真および／または動画のデジタルデータとを含み、遺影のデジタルデータはさらに、所定の時間毎または任意に背景を表示切替可能である。
【手続補正３】
【補正対象書類名】明細書
【補正対象項目名】００１０
【補正方法】変更
【補正の内容】
【００１０】
処理済データは、遺影のデジタルデータと、スナップ写真および／または動画のデジタルデータとが、表示装置のディスプレイ上に分割して配置され表示される。
【手続補正４】
【補正対象書類名】明細書
【補正対象項目名】００１１
【補正方法】変更
【補正の内容】
【００１１】
また、処理済データはさらに文字情報を含み、文字情報は、各スナップ写真および／または動画に対応するコメントと、喪主の挨拶文と、以後の法要日程とを含む。
さらに、遺影のデジタルデータと、スナップ写真および／または動画のデジタルデータと、文字情報とは、表示装置のディスプレイ上に分割して配置され表示される。
このデジタル遺影表示システムにおいて、文字情報は、所定の時間毎または任意に表示切替可能である。
【手続補正５】
【補正対象書類名】明細書
【補正対象項目名】００１２
【補正方法】変更
【補正の内容】
【００１２】
本発明がさらに提供するのは、葬儀社の第１端末と、管理センタのサーバと、処理センタの第２端末とがネットワークを介して接続し、第１端末がサーバにアップロードしたデータを第２端末がダウンロードおよび処理し、第２端末がサーバにアップロードした処理済データを第１端末がダウンロードし、この処理済データを表示装置のディスプレイ上に表示して葬祭を演出する葬祭演出方法である。この葬祭演出方法において、処理済データは、それぞれ所定の時間毎または任意に表示切替可能な遺影のデジタルデータと、スナップ写真および／または動画のデジタルデータとを含み、遺影のデジタルデータはさらに、所定の時間毎または任意に背景を表示切替可能である。
【手続補正６】
【補正対象書類名】明細書
【補正対象項目名】００１３
【補正方法】変更
【補正の内容】
【００１３】
この葬祭演出方法において、処理済データは、遺影のデジタルデータと、スナップ写真および／または動画のデジタルデータとが、表示装置のディスプレイ上に分割して配置され表示される。
【手続補正７】
【補正対象書類名】明細書
【補正対象項目名】００１４
【補正方法】変更
【補正の内容】
【００１４】
処理済データはさらに文字情報を含み、文字情報は、各スナップ写真および／または動画に対応するコメントと、喪主の挨拶文と、以後の法要日程とを含む。
この葬祭演出方法において、処理済データは、遺影のデジタルデータと、スナップ写真および／または動画のデジタルデータと、文字情報とが、表示装置のディスプレイ上に分割して配置され表示される。
【手続補正８】
【補正対象書類名】明細書
【補正対象項目名】００１５
【補正方法】変更
【補正の内容】
【００１５】
また、この葬祭演出方法において、文字情報は、所定の時間毎または任意に表示切替可能である。